(57)【特許請求の範囲】
【請求項１】
合成樹脂により形成され、容器に取り付ける取付部（１）と、前記容器の収容品の通行を遮断する遮断壁（２）とから成る本体（３）と、該本体に装着する蓋（４）とを有し、前記遮断壁（２）に開口（６）が形成され、該開口（６）に網（７）が設けられ、網目口（８）が形成されているキャップ（５）において、前記網目口（８）は遮断壁（２）の一部に設けられ、他の一部に、遮断壁残余（９）が形成され、かつ該網目口（８）の周囲は下方程小径となる傾斜部（１３）を有し、前記蓋（４）の内側面（１４）には、前記傾斜部（１３）に圧接する無端状で短筒状の閉止部（１５）が設けられ、かつ前記本体（３）及び蓋（４）にそれぞれ前記圧接を行わせる係合部（１６）及び係止部（１７）が設けられていることを特徴とする振り出し容器のキャップ。
【請求項２】
網（７）は、遮断壁（２）内面に付着（１１）させられている請求項１記載の振り出し容器のキャップ。
【請求項３】
網（７）は本体（３）に鋳込み成型（１２）されている請求項１記載の振り出し容器のキャップ。
【発明の詳細な説明】
【０００１】
【発明の属する技術分野】
この発明は粉末状の調味料、粉末茶等を収納し、振り出して用いる振り出し容器のキャップに関するものである。
【０００２】
【従来の技術】
従来粉末状の調味料、粉末茶等を振り出して用いる振り出し容器のキャップについては次のような先行技術が見られる。
（１）特開平８−１１９１７号（以下第１従来例と略称する）
（２）特開平８−９１４０５号（以下第２従来例と略称する）
上記第１従来例の発明は容器を持ち替えることなく、小出し孔と大出し孔により小出しと大出しの両方が可能な振り出し容器のキャップを提供している。
又第２従来例の発明はキャップの頂壁下面に、先端の尖った突起を一体に設け、ここに塊状化した収容物を衝突させて粉砕するように形成されている。又他の例では、頂壁に振り出し孔を形成し、その振り出し孔の周囲に突起が形成されている。しかし上記第１及び第２従来例のものも次に述べるような問題点を有している。
まず第１従来例の容器のキャップは収納した粉体が吸湿等により塊体となった場合にそれを小出し孔から出せば、目詰まりを起し、粉体の振り出しが困難となる。又大出し孔からそれを出せば塊体はそのまま振り出され、塊体の除去ができない。又、第２従来例の発明は、粉体が固い塊りを形成している場合、細かく、細分化することができず、粉末状にして振り出すことができない。
【０００３】
【発明が解決しようとする課題】
この発明は上記のような問題を解決するためになされたもので、その目的は、収納した粉末が吸湿等により塊状となった際に簡単な構造で、充分にかつ容易に細分化でき、振り出しできる、振り出し容器のキャップを提供することである。
【０００４】
【課題を解決するための手段】
上記の目的を達成するこの発明について述べるとそれは、合成樹脂により形成され、容器に取り付ける取付部１と、前記容器の収容品の通行を遮断する遮断壁２から成る本体３と、該本体３に装着する蓋４から成るキャップ５において、前記遮断壁２に開口６が形成され、該開口６に網７が設けられ、網目口８が形成されていることを特徴とする振り出し容器のキャップである。
又、網目口８は遮断壁２の一部に設けられ、他の一部に、遮断壁残余９が形成されている前記振り出し容器のキャップである。
又、網７は遮断壁２内面１０に付着１１させられている前記振り出し容器のキャップである。
又、網７は本体３に鋳込み成型１２されている前記振り出し容器のキャップである。
又、網目口８の周囲は下方程小径となる傾斜部１３を有し、蓋４の内側面１４には、前記傾斜部１３に圧接する無端状で短筒状の閉止部１５が設けられ、かつ前記本体３及び蓋４にそれぞれ前記圧接を行わせる係合部１６及び係止部１７から成ることを特徴とする前記振り出し容器のキャップである。
【０００５】
【作用】
請求項１の発明において、容器に粉末状の調味料、粉末茶等を収容し、これを振り出して用いる場合、蓋４を開放し、上記容器を逆にして、収容した粉末体を網目口８から振り出す。この場合網目口８には網７が設けられているため、粉末体はこの網７により細分化されて振り出される、そして、前記収容品が湿気等により塊体を形成してしまった場合、手にした前記容器を振って前記塊体を前記網７に衝突させる。そうすると網７は接触面積の小さな、細条から成っており、このため前記塊体は部分的に単位面積当りの大きい力を受けることになり、それにより効果的に破砕することができる。
【０００６】
又、前記収容品は塊状となったものは前記のように崩壊させて、塊状とならないものはそのまま、開口６の全面に亘って広くほぼ均一に振り出すことができる。又他の効果として塊状となったものを崩壊させた場合は、同時に一度の操作で分級をかねて振り出すこともできる。しかも開口６に網７を設けるだけの簡単な構造で塊体を崩壊させ、粉末状として振り出すことができる。
請求項２の発明は遮断壁２に網目口８を形成すると共に、網目口８の形成されてない、遮断壁残余９を形成したことにより、容器に収容した粉末体が湿気等により塊状となった場合網７に衝突させる前に、遮断壁残余９に当らせ、剛性を有する該遮断壁残余９との衝突により上記塊体の大まかな一次破砕を行なわせ、次にこれを網７に衝突させて、こまかく二次破砕を行なわせ、かつ分級して取り出すことができる。又遮断壁残余９と開口６の境部１７に前記塊体を衝突させることにより、縁の部分による強い衝撃を利用して破砕することもできる。
【０００７】
請求項３の発明は遮断壁２に網７を付着させたものであり、この場合の付着は接着剤による接着又は合成樹脂の溶融による溶着であるが、溶着の場合遮断壁残余９を溶融して、ここに網７を溶着する。具体的には網７の上にキャップを成型することになる。
そして、前記遮断壁２及び網７の両方共面状体であるため、接着剤による接着及び溶着を容易に行なわせることができる。
即ちこのように塊体を崩壊させる部分の形成がきわめて容易である。しかも網７を遮断壁２の内面１０に付着させられたことにより、粉末を振り出す際に、網７に内側から粉末による衝撃を与えても網７が遮断壁２から剥離してしまう恐れをなくすことができる。
【０００８】
請求項４の発明は、網７を本体３に鋳込み形成したことにより、このキャップの製造を容易にすることができる。しかも容器内容品の振り出しの際に、網７に内容品を衝突させても、網７が本体３から外れてしまう恐れをなくすことができる。又請求項５の発明は網目口８の周囲に下方程小径となる傾斜部１３を形成し、蓋４に前記傾斜部１３に圧接する無端状の閉止部１５を設け、かつ本体３と蓋４にそれぞれ前記圧接を行なわせる係合部１６及び係止部１７を設けたことにより、蓋４閉止の際、前記閉止部１５は前記傾斜部１３に圧接させられるから、簡単な構造により前記網目口８を密閉することができる。
請求項６の発明は容器内容品の粉末が吸湿等により塊体となった場合に、これを振り出せば、上記塊体を網７により崩壊させて振り出すことができる。そして網部材２８は基体２５に装着させる構造としたことにより、製造の場合に網７は基体２５に設けず、フレーム２６に設ければよいので、きわめて容易に製造できる。なお装着は係合形式、螺合形式のいずれでもよく、この両方を含むものである。
【０００９】
【発明の実施の態様】
図１及び図２において３は合成樹脂、一例としてポリプロピレン又はポリエチレンにより形成されたキャップの本体で、容器１９に対する取付部１及び遮断壁２から成っている。前記取付部１は筒壁の内側に設けられた螺条２０から成っているが、これは螺条の外図示しない掛合部等であってもよく、その両方を含むものである。従って又前記容器１９も螺溝２１が形成されているが、これはその外図示しない、前記掛合部に掛止する掛止部であってもよく、その両方を含むものである。４は蓋体であり、前記本体３にヒンジ２２により、開放、閉止の場合の自己保持機能を持たせて形成されている。但し、この蓋４も、ヒンジ２２の外、図示は省略するが前記本体３に対し、螺合又は係合により装着するように形成されてもよく、これらをすべて含むものである。
【００１０】
次に、図２において５は前記のように構成されたキャップを示す。そして前記遮断壁２に開口６が形成されている。この開口６は、前記遮断壁２に一例としてほぼＤ字状に形成されてあり、この開口６に網７が設けられ、これにより網目口８が形成されている。前記網７は合成樹脂製であり、このため容器内容品の調味料等にふれても影響を及ぼさないようになっている。特に一実施例としてポリエチレンにより形成して用いられたが、このようにすることにより、ポリエチレンは極性が全くないので、親水性がなく、従って容器内に調味料等の食品を収容してこれを振り出す場合に、食品類との相溶性がないから、全く影響しないので安全に振り出すことができる。又この網７のメッシュは容器１９内の粉末の大きさにより適宜に選択される。なお容器１９内の収容品は粉末の外、粒体、その他ほぼ粉末状であれば差し支えはない。
なお前記網７は前記のように合成樹脂製とする外、ステンレス等の金属により形成されてもよく、網７はその両方を含むものである。
【００１１】
次に網目口８は、前記遮断壁２の一部分に形成されており、他の部分には、その残余の遮断壁残余９が形成されている。
次に前記網７は図２に示すように遮断壁２の内面に付着１１させられている。この付着部１１は接着剤による接着と、溶着のいずれでもよいことを意味するものであり、又上記溶着は遮断壁２が溶融して網７を溶着することを指すものである。次に図４に示すように、前記網７は本体３に鋳込み成型１２されてもよい。図４において網７は本体３に、詳しくは本体３の、取付部１の筒壁２３内に鋳込み成型１２されている。そしてこの場合網７は前記遮断壁２内面にも溶着されてい
る。
【００１２】
次に網目口８の周囲は図２〜図４に示すように下方程小径となる傾斜１３を持たせて形成されている。そして前記蓋４の内側面１４に、前記傾斜部１３に圧接する無端状でほぼ短筒状の閉止部１５が設けられている。上記両者１３、１５の圧接は前記本体３に蓋４が閉止された場合に本体３の係合部１６に、蓋４の係止部１７が圧接係止することにより行なわれる。
【００１３】
又図２において２３は鍔部、図３、図４において２４はパッキンを示す。
次に図示は省略するが、この発明の他の実施例として容器１９、キャップの本体３、蓋４、前記本体３に設けられた網７、のすべてがポリエチレンにより形成された。このように形成することにより容器１９内に粉末状の調味料等を収容し、これを振り出して用いる場合、その調味料等は容器１９の内壁、蓋４の内面及び網７の各網目等に接触するが前記三者１９、４、７は通常の食品類を用いる限り相溶性がないので、安全にその食品を振り出すことができる。
次に図５、図６に示すものは、筒状の基体２５に、フレーム２６に網７を設けた網部材２８を装着したものであり、基体２５、フレーム２６とも合成樹脂、一例としてポリプロピレン、又はポリエチレン等により形成されたものであり、上記装着の形式は図５に示すように網部材２８に形成した係合部２９を基体２５に形成した係止部３０に圧接させて係止させるものでもよく、或いは又図６に示すように基体２５に形成した螺条３１に、フレーム２６の螺条３２を螺合させた形式でも差支えなく、この両方を含むものである。なお、フレーム２６は前記遮断壁残余９と同様な形状の遮断部残余３３が形成されている。そして網７とフレーム２６は高周波等により溶着させ、又は接着剤により接着してもよく、又はインサート成型によって設けてもよい。
この発明のキャップは図２に示すように容器１９に装着され、使用に際して蓋を開き前記容器１９を持ち、上下を逆にし、図示しない容器１９内の粉末状の調味料、粉末茶等を振り出して用いる。そして前記調味料、粉末茶等が吸湿等により固まって塊状となった場合にはその塊状体を網目口８の網７に衝撃させて崩壊させ、網７から粉末状として振り出す。この場合又前記塊状体は遮断壁残余９又は遮断部残余３３に衝撃させて崩壊させることもできる。又同様に遮断壁残余９又は遮断部残余３３の縁に衝突させて剪断的に崩壊させることもできる。
又このキャップは前記のように開口６又は開口部２７に網７を設けたことにより一度の振り出し動作により、前記開口６又は開口部２７の全面に亘ってほぼ均等に粉末状の収容品を振り出すことができる。
【００１４】
【発明の効果】
この発明は、容器内の粉末状の収容品が湿気等により塊体を形成して固まってしまった場合、手にした前記容器を振って前記塊体を前記網７に衝突させる。そうすると網７は接触面積の小さな、細条から成っており、このため、前記塊体は部分的に単位面積当たりの大きい力を受けることになり、それにより効果的に破砕することができる。
【００１５】
又前記収容品は、塊状となったものは前記のように崩壊させて、塊状とならないものはそのまま、開口６の全面に亘って広くほぼ均一に振り出すことができる。又他の効果として塊状となったものを崩壊させた場合は、同時に一度の動作で分級をかねて振り出すこともできる。しかも開口６に網７を設けるだけの簡単な構造で塊体を崩壊させ、粉末状として振り出すことができる。又この発明は遮断壁２に網目口８を形成すると共に、網目口８の形成されてない遮断壁残余９を形成したことにより、網７の前記のような細条による単位面積当りの力を大きくして衝突させる作用と、剛性の大きい遮断壁残余９との直接に衝突させる作用と、遮断壁残余９の縁部に衝突して剪断力を受けるように衝突させる作用とを利用して効果的に崩壊させることができる。
【００１６】
この発明は、網７が遮断壁２の内面１０に付着させられたことにより、粉末を振り出す際に網７に内側から粉末による衝撃を与えても網７が遮断壁２から剥離してしまう恐れをなくすことができる。この発明は、網７を本体３に鋳込み形成したことにより、このキャップの製造をきわめて容易にすることができる。しかも容器内容品の振り出しの際に網７に内容品を衝突させても、網７が本体３から外れてしまう恐れをなくすことができる。又この発明は網目口８の周囲に下方程小径となる傾斜部１３を形成し、蓋４に前記傾斜部１３に圧接する無端状の閉止部１５を設け、かつ本体３と蓋４にそれぞれ前記圧接を行なわせる係合部１６及び係止部１７を設けたことにより、蓋４閉止の際、前記閉止部１５は前記傾斜部１３に圧接させられるから、簡単な構造により、前記網目口８を密閉することができる。
【図面の簡単な説明】
【図１】この発明の実施例を示し、振り出し容器のキャップの蓋を開いた場合の平面図である。
【図２】図１に示すキャップを容器に装着した場合の縦断面図である。
【図３】この発明の他の実施例を示し、振り出し容器のキャップの断面図である。
【図４】この発明の更に他の実施例を示す図３に相当する図である。
【図５】この発明の更に他の実施例を示し、図３に相当する図である。
【図６】この発明の更に他の実施例を示し、図３に相当する図である。
【符号の説明】
１    取付部
２    遮断壁
３    本体
４    蓋
５    キャップ
６    開口
７    網
８    網目口
９    遮断壁残余
１０    内面
１１    付着部
１２    鋳込み成型部
１３    傾斜部
１４    内側面
１５    閉止部
１６    係合部
１７    係止部
【図１】
0003809621.tif 000002
【図２】
0003809621.tif 000003
【図３】
0003809621.tif 000004
【図４】
0003809621.tif 000005
【図５】
0003809621.tif 000006
【図６】
0003809621.tif 000007